(57)【特許請求の範囲】
【請求項１】
器具本体と、
前記器具本体の内側に取り付けられた光源と、
前記光源からの直接光を反射させるために前記光源の外側部を覆うように取り付けられた主反射板と、
前記光源の下方に延出するように前記器具本体の下部に設けられた筒状のフードと、
前記フードの下部に配置されて前記光源からの直接光を中央部に通過させるための開口部、および前記光源からの直接光とは異なる光を反射させる湾曲面状の鏡面を内面に有する補助反射板と、
前記フードの下部に設けられた枠部と、
を備え、
前記主反射板と前記補助反射板と前記フードとは、前記光源の光軸上に同芯で配置され、
前記フードは、その内面に光吸収面を有し、
前記補助反射板は、前記枠部の内側面を覆って取り付けられている、
ことを特徴とする照明器具。
【発明の詳細な説明】
【技術分野】
【０００１】
本発明は、屋外用の管制塔投光器や屋内用のダウンライト等に適用される照明器具に関する。
【背景技術】
【０００２】
従来の照明器具の一例として、器具本体に取り付けた光源の光軸上に、セードの開口端部より延出したフードを備えたものがある（例えば、特許文献１参照）。
【先行技術文献】
【特許文献】
【０００３】
【特許文献１】実開平６−３６１２４号公報（図１、請求項１）
【発明の概要】
【発明が解決しようとする課題】
【０００４】
上記特許文献１に開示された従来の照明器具では、器具本体が回動されることにより光源の光軸が変わった際に、フードにより照射方向以外の光を照射方向に反射させて器具効率を高めるようにしている。一方、図６に示すように、光源１０１の光軸上にフード１０２を備えた照明器具１００がある。このような従来の照明器具１００では、光源１０１からの光をフード１０２の内側を通過させることにより器具効率を高めることができる。しかし、このような従来の照明器具１００では、光源１０１からの光のうち、フード１０２の内面に反射した光が横方向に進行して窓１に映り込み、窓１から人２の目に入り込む。
従って、このような従来の照明器具１００では、光源１０１の光が窓１から人２の目に入り込んで具合が悪い。
【０００５】
本発明は、前述した課題を解決するためになされたものであり、その目的は、良好な投光特性を得ることができる照明器具を提供することにある。
【課題を解決するための手段】
【０００６】
本発明に係る照明器具は、器具本体と、前記器具本体の内側に取り付けられた光源と、前記光源からの直接光を反射させるために前記光源の外側部を覆うように取り付けられた主反射板と、前記光源の下方に延出するように前記器具本体の下部に設けられた筒状のフードと、前記フードの下部に配置されて前記光源からの直接光を中央部に通過させるための開口部、および前記光源からの直接光とは異なる光を反射させる湾曲面状の鏡面を内面に有する補助反射板と、前記フードの下部に設けられた枠部と、を備え、前記主反射板と前記補助反射板と前記フードとは、前記光源の光軸上に同芯で配置され、前記フードは、その内面に光吸収面を有し、前記補助反射板は、前記枠部の内側面を覆って取り付けられている、ことを特徴とする。
【０００７】
本発明において、光源からの直接光は補助反射板の開口部内を通過して下方に向けて集中的に投光され、光源からの他の光は補助反射板の鏡面により反射されてから下方に向けて集中的に投光される。そのため、本発明においては、従来のもののように光源からの光が横方向に進行して窓に映り込んで人の目に入り込むことがない。
従って、本発明においては、良好な投光特性を得ることができる。
【０００９】
本発明においては、補助反射板が枠部の内側面を覆うことにより、フードの内側から光源の光が洩れ出ないようにして光量の無駄をなくすことができる。
【発明の効果】
【００１０】
本発明の照明器具によれば、光源からの直接光が補助反射板の開口部内を通過して下方に向けて集中的に投光され、光源からの他の光が補助反射板で反射されてから下方に向けて集中的に投光される。
これにより、本発明の照明器具によれば、良好な投光特性を得ることができるという効果を有する。
【図面の簡単な説明】
【００１１】
【図１】本発明に係る一実施形態の照明器具の垂直断面図
【図２】図１の照明器具の底面図
【図３】図１の照明器具における補助反射板周りの断面図
【図４】図１の照明器具の光学的特性を説明する垂直断面図
【図５】図１の照明器具の光学的特性を説明する模式的断面図
【図６】従来の照明器具の光学的特性を説明する模式的断面図
【発明を実施するための形態】
【００１２】
以下、本発明の一実施形態に係る照明器具について図面を参照して説明する。
図１、図２に示すように、本発明の一実施形態である照明器具１０は、器具本体１１と、光源であるランプ１３とランプソケット１４と主反射板１５とを有する灯具１２と、フード１６と、補助反射板１７と、を備えて天井施工面３に形成されている取付穴４に埋設されて設置される。
器具本体１１は、厚みの薄い鋼製板部材をプレス成形することにより、天板１８と、上部周板１９と、段部２０と、下部周板２１とを有する有天筒形状に形成されている。上部周板１９の外径寸法は下部周板２１の外径寸法よりも小さい。上部周板１９の段部２０寄りの外周部には、複数の取付部材２２が取り付けられている。取付部材２２は、照明器具１０を設置する際に、器具本体１１の上部周板１９部分が天井施工面３の取付穴４内に挿入されて段部２０が天井施工面３の下面に当接した後に天井施工面３の上面に引掛けられることにより照明器具１０を天井施工面３に支持する。灯具１２において、ランプソケット１４は器具本体１１の天板１８の中央部に取り付けられており、不図示の点灯回路に電気的に接続されている。ランプソケット１４にはランプ１３が装着されており、ランプ１３の外側部を覆って主反射板１５が取り付けられている。主反射板１５は厚みの薄いアルミニウム製の板部材をプレス成形することによりラッパ形状に形成されている。
【００１３】
図３に示すように、フード１６は波板状に形成されている鋼製板部材をプレス成形することにより筒形状に形成されており、内周面に光吸収面２３を有する。フード１６は器具本体１１の下部周板２１の内側に円環形状の第１ブラケット２４を介して取り付けられている。第１ブラケット２４は黒半ツヤ塗装を施された鋼製であって、その内周部が溶接等によりフード１６の外周部に接合されており、その外周部が下部周板２１の内周面にネジ２５によりネジ止めされている。フード１６は、その下端部の円環部２６に弾性を有するスポンジパッキン２７が貼り付けられている。フード１６の円環部２６には、同じく黒半ツヤ塗装を施された円環板形状の鋼製の化粧板（枠部）２８が、円環部２６を覆いスポンジパッキン２７を介して下部周板２１の下端部に取り付けられている。
【００１４】
補助反射板１７は、アルミニウム製の板部材をプレス成形することにより、その上端部の内径寸法が、その下端部の内径寸法よりも小さい開口部２９を有するラッパ形状に形成されており、その内面に湾曲面状のアルミニウム蒸着面である鏡面３０を有する。補助反射板１７は、その上端部に円環形状であって黒半ツヤ塗装を施された鋼製の第２ブラケット３１の内周部が嵌め付けられており、第２ブラケット３１の外周部が同じく円環形状であって黒半ツヤ塗装を施された第３ブラケット３２の下端部にネジ３３によりネジ止めされている。第３ブラケット３２は、その上端部が第１ブラケット２４の内周部にネジ３４によりネジ止めされている。補助反射板１７は、その下端部に形成されたフランジ３５が化粧板２８の内側面を覆って第２ブラケット３１および第３ブラケット３２によりフード１６の内周部に組付けられている。
【００１５】
次に、照明器具１０の光学的特性について説明する。図４、図５に示すように、主反射板１５とフード１６と補助反射板１７とはランプ１３の光軸上に同芯で配置されている。点灯回路が駆動されることによりランプ１３が点灯されると、ランプ１３からの直接光は主反射板１５から補助反射板１７の開口部２９内を通過して下方に向けて集中的に投光される。ランプ１３からの他の光は主反射板１５で反射した後に補助反射板１７の鏡面３０により反射されてから下方に向けて集中的に投光される。そのため、ランプ１３からの全ての光が下方に向けて集中的に投光されるために、窓１に映り込むことがなく、窓１から人２の目に入り込むことがない。このとき、ランプ１３からの光がフード１６の内周面に向かったとしても、フード１６の内周面の光吸収面２３により、その光は吸収されて横方向へ反射することがない。
【００１６】
本発明の一実施形態の照明器具１０では、ランプ１３からの直接光は補助反射板１７の開口部２９内を通過して下方に向けて集中的に投光され、ランプ１３からの他の光は補助反射板１７の鏡面３０により反射されてから下方に向けて集中的に投光される。そのため、本発明の一実施形態の照明器具１０では、従来のもののように光源からの光が横方向に進行して窓に映り込んで人の目に入り込むことがない。
従って、本発明の一実施形態の照明器具１０では、良好な投光特性を得ることができる。
【００１７】
本発明の一実施形態の照明器具１０では、補助反射板１７が化粧板２８の内側面を覆うことにより、フード１６の内側からランプ１３の光が洩れ出ないようにして光量の無駄をなくすことができる。
【００１８】
なお、前記一実施形態で使用した器具本体１１、ランプ１３、ランプソケット１４、主反射板１５等は例示したものに限定するものではなく適宜変更が可能である。
【符号の説明】
【００１９】
１０  照明器具
１３  ランプ（光源）
１６  フード
１７  補助反射板
２３  光吸収面
２８  化粧板（枠部）
２９  開口部
３０  鏡面
【図１】
0005429987.tif 000002
【図２】
0005429987.tif 000003
【図３】
0005429987.tif 000004
【図４】
0005429987.tif 000005
【図５】
0005429987.tif 000006
【図６】
0005429987.tif 000007